(57)【要約】      （修正有）【課題】作業標準書、ＱＣ工程表及び工程フローチャートの相互参照、保守工程管理システムを提供する。【解決手段】作業標準書、ＱＣ工程表及び工程フローチャートのデータベース１と、ＱＣ工程表等の入力手段２ａと、送信手段２ｂと、ＱＣ工程表等の表示手段２ｃと、作業標準書、ＱＣ工程表又は工程フローチャートの表示要求手段２ｄと、作業標準書の更新要求手段２ｆと、を備えた端末２と、端末２の入力データに基づいて、ＱＣ工程表の作成手段３ｂと、作業標準書の作成手段３ｃと、工程フローチャートの作成手段３ｄと、端末２からの要求により作業標準書、ＱＣ工程表、工程フローチャート表示手段２ｃ上に作業標準書等の送信手段３ｅと、端末２からの要求に基づいて、作成したＱＣ工程表、前記工程フローチャートないし作業標準書を、工程番号をキーとし且つ作業標準書のデータベース１を更新させる手段３ｆと、を備えたサーバー３と、を有する。【選択図】図１
2004235342.tif 000002
【特許請求の範囲】
【請求項１】
所定の工程について少なくともその工程番号及び当該工程を構成する作業の手順が掲載された作業標準書、少なくとも工程番号及び当該工程に関する管理内容が掲載されたＱＣ工程表、及び前記工程を含む一連の工事の流れが掲載された工程フローチャートに関するデータを保存するデータベースと、
前記ＱＣ工程表、前記工程フローチャートないし前記作業標準書に関するデータを入力する入力手段と、
入力したデータを送信する送信手段と、
前記データベースに保存された前記ＱＣ工程表、前記工程フローチャートないし前記作業標準書を表示する表示手段と、
前記表示手段上に表示された所定の画面上から、少なくとも前記工程番号を検索キーとして、当該工程番号が示す前記作業標準書、前記ＱＣ工程表、前記工程フローチャートの表示を要求する手段と、
前記作業標準書、前記ＱＣ工程表及び前記工程フローチャートを表示するためのデータを受信する手段と、
前記作業標準内の項目を単位とし更に該項目内の文単位毎にデータベース化されて前記データベースに保存された該作業標準書の更新を要求する手段と、
を備えた端末と、
前記端末に入力された前記データを受信する手段と、
前記受信したデータに基づいて、前記ＱＣ工程表を作成するＱＣ工程表作成手段と、前記作業標準書を作成する作業標準書作成手段と、前記工程フローチャートを作成する工程フローチャート作成手段と、
前記端末からの要求により所定の前記作業標準書、前記ＱＣ工程表、前記工程フローチャートに関するデータを該端末に送信して前記表示手段上に前記作業標準書、前記ＱＣ工程表、前記工程フローチャートを表示させる送信手段と、
前記端末からの要求に基づいて、前記作成した前記ＱＣ工程表、前記工程フローチャートないし前記作業標準書を、少なくとも工程番号をキーとして且つ少なくとも該作業標準書内の項目内の文をレコード単位としてデータベース化して前記データベースを更新させる手段と、
を備えたサーバーと、
を有する、ことを特徴とする工程管理システム。
【発明の詳細な説明】
【０００１】
【発明の属する技術分野】
本発明は、作業標準を確立するための工程管理システムに関し、特に、発電所等の新設又は改修工事における作業標準を確立するための工程管理システムに関する。なお、本発明において、作業標準とは、作業条件、作業方法、管理方法、使用材料、使用設備その他の注意事項などに関する基準を定めたものをいい、作業標準書とは前記作業標準が掲載されているものをいい、ＱＣ工程表とは、ある工事を構成する工程毎に、作業内容、注意事項、チェック項目、検査機器、合否基準、参照手順書などが表にまとめられているものをいい、工程フローチャートとは、ある工事を構成する一連の工程が所定の順序で掲載されているものをいう。
【０００２】
【従来の技術】
従来、発電所の工事においては、工程番号ないし工事名の下に、作業標準書、ＱＣ工程表及び工程フローチャートを作成している。これらの作業標準書、ＱＣ工程表及び工程フローチャートは、ワープロ文書として作成及び保存されている。
【０００３】
また、特許文献１には、キーワードと規格を基にして工程管理情報を検索する建築工事おける情報管理方法及び情報管理装置が提案されている。
【０００４】
【特許文献１】
特開２００１−３５０８１９（第１頁、要約）
【０００５】
【発明が解決しようとする課題】
前記従来の技術の問題点は、標準化の水平展開が困難であることである。その理由は、作業標準書の項目を単位としてデータが保存されていないため、ある工事の作業標準の内容と、他の工事の作業標準の内容を対照すること、或いは作業標準書を保存しているデータベースを更新することに手間が掛かるためである。
【０００６】
前記従来の技術の問題点は第２の問題点は、作業標準書、ＱＣ工程表及び工程フローチャートの保守管理に手間が掛かることである。その理由は、事業所、ユニット、号機、設備、機器毎に、作業標準書、ＱＣ工程表及び工程フローチャートを作成するため、作成される作業標準書、ＱＣ工程表及び工程フローチャートは約４０００×３件以上となるためである。
【０００７】
本発明の目的は、作業標準書、ＱＣ工程表及び工程フローチャートの相互参照、保守管理を容易とする工程管理システムを提供することである。
【０００８】
【課題を解決するための手段】
本発明は、第１の視点において、所定の工程について少なくともその工程番号及び当該工程を構成する作業の手順が掲載された作業標準書、少なくとも工程番号及び当該工程に関する管理内容が掲載されたＱＣ工程表、及び前記工程を含む一連の工事の流れが掲載された工程フローチャートに関するデータを保存するデータベースと、前記ＱＣ工程表、前記工程フローチャートないし前記作業標準書に関するデータを入力する入力手段と、入力したデータを送信する送信手段と、前記データベースに保存された前記ＱＣ工程表、前記工程フローチャートないし前記作業標準書を表示する表示手段と、前記表示手段上に表示された所定の画面上から、少なくとも前記工程番号を検索キーとして、当該工程番号が示す前記作業標準書、前記ＱＣ工程表、前記工程フローチャートの表示を要求する手段と、前記作業標準書、前記ＱＣ工程表及び前記工程フローチャートを表示するためのデータを受信する手段と、前記作業標準内の項目を単位とし更に該項目内の文単位毎にデータベース化されて前記データベースに保存された該作業標準書の更新を要求する手段と、を備えた端末と、前記端末に入力された前記データを受信する手段と、前記受信したデータに基づいて、前記ＱＣ工程表を作成するＱＣ工程表作成手段と、前記作業標準書を作成する作業標準書作成手段と、前記工程フローチャートを作成する工程フローチャート作成手段と、前記端末からの要求により所定の前記作業標準書、前記ＱＣ工程表、前記工程フローチャートに関するデータを該端末に送信して前記表示手段上に前記作業標準書、前記ＱＣ工程表、前記工程フローチャートを表示させる送信手段と、前記端末からの要求に基づいて、前記作成した前記ＱＣ工程表、前記工程フローチャートないし前記作業標準書を、少なくとも工程番号をキーとして且つ少なくとも該作業標準書内の項目内の文をレコード単位としてデータベース化して前記データベースを更新させる手段と、を備えたサーバーと、を有する、ことを特徴とする工程管理システムを提供する。
【０００９】
本発明によれば、作業標準書の項目、例えば、作業手順の内容により、他の作業標準書を参照することにより、作成済みの作業標準資源の有効利用ができる。
【００１０】
本発明によれば、端末に作業標準書、ＱＣ工程表、工程フローチャートを相互リンクして表示することができるため、複数の工程からなる工事における各工程の位置付けが容易に把握できる。
【００１１】
【発明の実施の形態】
本発明の好ましい実施の形態に係る工程管理システムは、図１を参照すると、所定の工程について少なくともその工程番号及び当該工程を構成する作業の手順が掲載された作業標準書、少なくとも工程番号及び当該工程に関する管理内容が掲載されたＱＣ工程表、及び前記工程を含む一連の工事の流れが掲載された工程フローチャートに関するデータを保存するデータベース１と、前記ＱＣ工程表、前記工程フローチャートないし前記作業標準書に関するデータを入力する入力手段２ａと、入力したデータを送信する送信手段２ｂと、前記データベースに保存された前記ＱＣ工程表、前記工程フローチャートないし前記作業標準書を表示する表示手段２ｃと、前記表示手段上に表示された所定の画面上から、互いに関連する前記作業標準書、前記ＱＣ工程表又は前記工程フローチャートの表示を要求する手段２ｄと、前記作業標準書、前記ＱＣ工程表及び前記工程フローチャートを表示するためのデータを受信する手段２ｅと、前記作業標準内の項目を単位とし更に該項目内の文単位毎にデータベース化されて前記データベースに保存された該作業標準書の更新を要求する手段２ｆと、を備えた端末２と、前記端末に入力された前記データを受信する手段３ａと、前記受信したデータに基づいて、前記ＱＣ工程表を作成するＱＣ工程表作成手段３ｂと、前記作業標準書を作成する作業標準書作成手段３ｃと、前記工程フローチャートを作成する工程フローチャート作成手段３ｄと、前記端末からの要求により所定の前記作業標準書、前記ＱＣ工程表、前記工程フローチャートに関するデータを該端末に送信して前記表示手段上に前記作業標準書、前記ＱＣ工程表、前記工程フローチャートを表示させる送信手段３ｅと、前記端末からの要求に基づいて、前記作成した前記ＱＣ工程表、前記工程フローチャートないし前記作業標準書を、少なくとも工程番号をキーとし且つ少なくとも該作業標準書の項目内の文をレコード単位としてデータベース化して前記データベースを更新させる手段３ｆと、を備えたサーバー３と、を有する。
【００１２】
【実施例】
図１は、本発明の一実施例に係る工程管理システムを説明するためのブロック図である。図２は、本発明の一実施例に係る工程管理システムの構成例を説明するためのシステム構成図である。
【００１３】
図１を参照すると、本発明の一実施例に係る工程管理システムは、ネットワークを介して又は直接接続されるデータベース１と、複数の端末２と、サーバー３を含んで構成される。図２を参照すると、本社サイドに、ネットワークを介して互いに接続された、データベース１を管理するデータベースサーバー１０と、サーバー（メタフレームサーバー）３、さらに、複数の端末（個人作業用パソコン）２が設置され、事業所等のサイドにも複数の端末（個人作業用パソコン）２がそれぞれ設置され、本社サイドと事業所サイドとは無線或いは有線を介して互いにネットワーク接続される。
【００１４】
再度図１を参照すると、データベース１は、所定の工程について少なくともその工程番号及び当該工程を構成する作業の手順が掲載された作業標準書、少なくとも工程番号及び当該工程に関する管理内容が掲載されたＱＣ工程表、及び前記工程を含む一連の工事の流れが掲載された工程フローチャートに関するデータを保存する。
【００１５】
端末（個人作業用パソコン）２は、マウス・キーボード等の入力手段２ａと、入力データをＴＣＰ／ＩＰ等のプロトコルに従って送信する送信手段２ｂと、ディスプレイ等の表示手段２ｃと、作業標準書、ＱＣ工程表及び工程フローチャート等の表示を要求する表示要求手段２ｄと、要求したデータ等をＴＣＰ／ＩＰ等のプロトコルに従って受信する受信手段２ｅと、更新要求手段２ｆとを含んで構成されている。
【００１６】
作業者は、入力手段２ａを用いて、前記ＱＣ工程表、前記工程フローチャートないし前記作業標準書に関するデータを入力することができる。
【００１７】
作業者は、入力したデータを送信手段２ｂを介してサーバー３に送信することができる。
【００１８】
表示手段２ｃは、サーバー３から送信されるデータに基づいて、データベース１に保存されたＱＣ工程表、工程フローチャートないし作業標準書、及びそれらを更新等するための画面を表示する。
【００１９】
作業者は、表示要求手段２ｄを介して、表示手段２ｃ上に表示された所定の画面上から（図４の「表紙情報参照・印刷」画面参照）、互いに関連する（例えば、工程番号が同じもの）作業標準書、ＱＣ工程表及び工程フローチャートの表示を要求することができる。
【００２０】
受信手段２ｅは、表示要求された作業標準書、ＱＣ工程表及び工程フローチャートを表示するためのデータを受信する。
【００２１】
作業者は、更新要求手段２ｆを介して、作業標準内の項目を単位とし更に該項目内の文単位毎にデータベース化されてデータベース１に保存された作業標準書の更新を要求することができる。
【００２２】
サーバー３は、端末２に入力されたデータをＴＣＰ／ＩＰ等のプロトコルに従って受信する受信手段３ａと、ＱＣ工程表作成手段３ｂと、作業標準書作成手段３ｃと、工程フローチャート作成手段３ｄと、端末２からの要求により所定の作業標準書、ＱＣ工程表、工程フローチャートに関するデータをＴＣＰ／ＩＰ等のプロトコルに従って端末２に送信する送信手段３ｅと、端末２からの要求に基づいてデータベース１を更新させる更新手段３ｆとを含んで構成されている。
【００２３】
受信手段３ａは、端末２に入力され端末２から送信された作業標準書、ＱＣ工程表、工程フローチャートに関するデータを受信する。
【００２４】
ＱＣ工程表作成手段３ｂは、受信手段３ａが受信したデータに基づいてＱＣ工程表を作成する。作業標準書作成手段３ｃは、受信手段３ａが受信したデータに基づいて作業標準書を作成する。工程フローチャート作成手段３ｄは、受信手段３ａが受信したデータに基づいて工程フローチャートを作成する。
【００２５】
送信手段３ｅは、表示手段２ｃ上に作業標準書、ＱＣ工程表、工程フローチャートを表示させるためのデータを端末２に送信する。
【００２６】
更新手段３ｆは、端末２からの要求に基づいて、作成したＱＣ工程表、工程フローチャートないし作業標準書を、少なくとも工程番号をキーとし且つ少なくとも該作業標準書内の項目及び該項目内の文をレコード単位としてデータベース化してデータベース１を更新させる。
【００２７】
次に、サーバー３で動作する作業標準書作成管理システムの統合プログラム（図２参照）について説明する。
【００２８】
図３は、本発明の一実施例に係る工程管理システムにおいて、サーバーで動作する作業標準書作成管理システムの統合プログラムの構成を説明するための図である。
【００２９】
図３を参照すると、サーバー３においては、ＱＣ工程表作成手段（ＱＣ工程表作成プログラム）３ｂ、作業標準書作成手段（作業標準書作成プログラム）３ｃ、工程フローチャート作成手段（工程フローチャート作成プログラム）３ｄが動作し、文書番号、工程番号及び工程名によって関連するＱＣ工程表、作業標準書及び工程フローチャートがリンクされ、データベース管理プログラム１１を介してデータベース１に保存される。
【００３０】
次に、本発明の一実施例に係る工程管理システムの操作例について説明する。
【００３１】
図４は、サーバーから提供され端末上で表示される工程管理システムの操作画面の一例を示す図である。
【００３２】
図４を参照すると、書庫“ガスタービン燃料設備”の中に、文書“燃料弁点検”作成されている。図４の操作画面には、“作業標準書”、“ＱＣ工程表”及び“工程フローチャート”のコマンドボタンがある。これらのボタンを押すことにより、燃料弁点検”に関する作業標準書、ＱＣ工程表及び工程フローチャートがサーバー３側から端末２側に呼び出され、それらの作成、参照及び引用が可能となる。
【００３３】
図５は、端末に表示される作業標準書、ＱＣ工程表及び工程フローチャートの一例を説明するための図である。図５を参照すると、作業標準書、ＱＣ工程表及び工程フローチャートは、工程番号及び工程名に基づいてリンクしている。
【００３４】
作業標準書は、“工程番号”、“工程名”、“作業手順”、“主なポイント”、“安全ポイント”等の項目を含んで構成され、作業標準書内の項目内の文をレコード単位としてデータベース化されている。例えば、項目“作業手順”においては、「（１）ベアリングにプーラをセットし圧力を加え抜きとる。」等の文、項目“主なポイント”においては「▲１▼プーラの爪…。」、「▲２▼回転子を…。」、「▲３▼ベアリングが…。」等の文が、レコード単位とされている。
【００３５】
図６は、サーバーが提供する作業標準書を更新するための画面例である。図６を参照すると、作業標準書の作成画面中には、前記項目毎にオブジェクトが作成され、オブジェクトを選択後に表計算、図形又は文書作成用のアプリケーションを起動して、作業標準書の具体的内容を入力することができる。
【００３６】
【発明の効果】
本発明によれば、作業標準書、ＱＣ工程表及び工程フローチャートの参照、保守管理を容易とする工程管理システムが提供される。さらに、本発明によれば、下記の効果を奏する。
（１）作業標準書等の作成管理に要する時間の大幅な削減効果があり、固定費の増加を防止できる。
（２）技術の組織化、技術継承、施工品質の向上に貢献できる。
（３）施工技術の情報において、共有化、迅速化、同期化が図れる。
（４）自所と他所との施工方法との比較が容易になり、自所への他所の作業標準の導入の検討や改善がしやすくなり、会社全体の技術の向上が図れる。
（５）一事業所の一グループの一担当者という意識から、会社大として組織的に考えることへの意識改革が図れる。
【図面の簡単な説明】
【図１】本発明の一実施例に係る工程管理システムを説明するためのブロック図である。
【図２】本発明の一実施例に係る工程管理システムの構成例を説明するためのシステム構成図である。
【図３】本発明の一実施例に係る工程管理システムにおいて、サーバーで動作する作業標準書作成管理システムの統合プログラムの構成を説明するための図である。
【図４】本発明の一実施例に係る工程管理システムにおいて、サーバーから提供され端末上で表示される工程管理システムの操作画面の一例を示す図である。
【図５】本発明の一実施例に係る工程管理システムにおいて、端末に表示される作業標準書、ＱＣ工程表及び工程フローチャートの一例を説明するための図である。
【図６】本発明の一実施例に係る工程管理システムにおいて、サーバーが提供する作業標準書を更新するための画面例である。
【符号の説明】
１  データベース
２  端末
２ａ  入力手段
２ｂ  送信手段
２ｃ  表示手段
２ｄ  表示要求手段
２ｅ  受信手段
２ｆ  更新要求手段
３  サーバー
３ａ  受信手段
３ｂ  ＱＣ工程表作成手段
３ｃ  作業標準書作成手段
３ｄ  工程フローチャート作成手段
３ｅ  送信手段
３ｆ  更新手段
１０  データベースサーバー
１１  データベース管理プログラム
【図１】
2004235342.tif 000003
【図２】
2004235342.tif 000004
【図３】
2004235342.tif 000005
【図４】
2004235342.tif 000006
【図５】
2004235342.tif 000007
【図６】
2004235342.tif 000008